(57)【要約】【課題】ブレードのクランクカムからの脱落を防いで常に安定した刈込作業を行うことができる刈込機を提供すること。【解決手段】長手方向の両端縁に複数の切刃を形成して成る上ブレード３と下ブレード４とを上下に重ね合わせ、モータ６の回転をクランクカム１３によって前記上ブレード３と下ブレード４の往復運動に変換し、上ブレード３（又は下ブレード４）端部の前記クランクカム１３との係合部を曲げて曲げ部３ｃを形成するとともに、上ブレード３と下ブレード４の各端部間にプレート１４を介装して成る刈込機１において、前記プレート１４に、前記曲げ部３ｃが形成された上ブレード３との距離Ｓが該上ブレード３の厚み寸法ｔよりも小さくなる凸部１４ｂを形成する。【選択図】図２
2007135435.tif 000002
【特許請求の範囲】
【請求項１】
長手方向の両端縁に複数の切刃を形成して成る上ブレードと下ブレードとを上下に重ね合わせ、モータの回転をクランクカムによって前記上ブレードと下ブレードの往復運動に変換し、上ブレード又は下ブレード端部の前記クランクカムとの係合部を曲げて曲げ部を形成するとともに、上ブレードと下ブレードの各端部間にプレートを介装して成る刈込機において、
前記プレートに、前記曲げ部を有するブレードとの距離が該ブレードの厚み寸法よりも小さくなる凸部を形成したことを特徴とする刈込機。
【発明の詳細な説明】
【技術分野】
【０００１】
本発明は、草や木の枝等を切断する刈込機に関するものである。
【背景技術】
【０００２】
従来の刈込機を図７に基づいて説明する。
【０００３】
図７は従来の刈込機要部の断面図であり、図示の刈込機の外枠２には駆動源であるモータ６が内蔵されており、このモータの回転軸（モータ軸）７は図７において下方に延び、その中間部はベアリング８を介してホルダ９に回転可能に支持され、その端部（図７の下端部）にはピニオン１０が形成されている。
【０００４】
又、前記ホルダ９には、図７において垂直下方に延びるピン１１が前記回転軸７と平行に圧入されており、このピン１１にはギヤ１２とクランクカム１３が回転可能に支持されている。ここで、ギヤ１２は、回転軸７の端部に形成された前記ピニオン１０に噛合しており、このギヤ１２には前記クランクカム１３が嵌合連結されて両者は一体的に回転する。
【０００５】
前記クランクカム１３には、ピン１１に対して偏心した上下２段の円板状の偏心カム１３ａ，１３ｂが１８０°の位相差をもって一体に形成されており、上段の偏心カム１３ａには上ブレード３の端部が係合し、下段の偏心カム１３ｂには下ブレード４の端部が係合している。ここで、上ブレード３と下ブレード４の各幅方向両端縁には鋸刃状の複数の切刃（図示せず）が形成されており、両者は上下に重ねられて前方（図７の右方）へ延びている。
【０００６】
而して、モータ６が駆動されると、回転軸７の回転はピニオン１０とギヤ１２を介して減速されてクランクカム１３に伝達され、該クランクカム１３が回転駆動される。そして、このクランクカム１３の回転は、前述のように該クランクカム１３の上下の偏心カム１３ａ，１３ｂにそれぞれ係合する上ブレード３と下ブレード４の往復動に変換され、交互に進退動する上ブレード３と下ブレード４によって草や木の枝が刈り込まれる。
【０００７】
ところで、斯かる刈込機においては、下ブレード４が係合する下側の偏心カム１３ｂの一部が上ブレード３と干渉しないでクランクカム１３が滑らかに回転することができるように、上ブレード３の偏心カム１３ａとの係合部を曲げて曲げ部３ｃを形成し、該上ブレード３と下ブレード４の端部間に図示の隙間δを設けている。このため、刈込作業によっては上ブレード３に強い力が加わり、図８に示すように上ブレード３の端部がその曲げ部３ｃを起点として変形し、該上ブレード３の曲げ部３ｃよりも端部側（図８の左側）部分が図示のように下方へと垂れ下がり、上ブレード３の偏心カム１３ａとの係合が外れる可能性があった（図８のＣ部参照）。
【０００８】
そこで、上ブレード３が偏心カム１３ａから外れにくくするため、図９に示すように、図１１（ａ）〜（ｃ）に示すような馬蹄形の平板状プレート１４を上ブレード３と下ブレード４の端部間に介装し、上ブレード３に強い力が加わった場合の該上ブレード３端部の変形をプレート１４によって抑制する構成が考えられた。尚、図１１において（ａ）はプレートの平面図、（ｂ）は同プレートの側面図、（ｃ）は（ａ）のＢ−Ｂ線断面図である。
【特許文献１】特開２００３−２３５３５１号公報
【発明の開示】
【発明が解決しようとする課題】
【０００９】
ところが、プレート１４を上ブレード３と下ブレード４の端部間に介装した図９に示す構成であっても、プレート１４と上ブレード３との間に隙間Ｅを設けていたため、上ブレード３に強い力が加わった場合には、図１０に示すように、隙間Ｅだけ上ブレード３の端部が変形して垂れ下がる。
【００１０】
又、プレート１４は、図１１に示すように単純な平板で構成されていたため、剛性が低くて変形し易く、図１０に示すように上ブレード３が変形したままの状態で長時間運転すると、上ブレード３が偏心カム１３ａの端部（図１０のＤ部) に接触して偏摩耗し、該上ブレード３が偏心カム１３ａから外れ易くなる。
【００１１】
本発明は上記問題に鑑みてなされたもので、その目的とする処は、ブレードのクランクカムからの脱落を防いで常に安定した刈込作業を行うことができる刈込機を提供することにある。
【課題を解決するための手段】
【００１２】
上記目的を達成するため、本発明は、長手方向の両端縁に複数の切刃を形成して成る上ブレードと下ブレードとを上下に重ね合わせ、モータの回転をクランクカムによって前記上ブレードと下ブレードの往復運動に変換し、上ブレード又は下ブレード端部の前記クランクカムとの係合部を曲げて曲げ部を形成するとともに、上ブレードと下ブレードの各端部間にプレートを介装して成る刈込機において、前記プレートに、前記曲げ部を有するブレードとの距離が該ブレードの厚み寸法よりも小さくなる凸部を形成したことを特徴とする。
【発明の効果】
【００１３】
本発明によれば、上ブレードと下ブレードの端部間に介装されたプレートに、曲げ部を有するブレードとの距離が該ブレードの厚み寸法よりも小さくなる凸部を形成する構成を採用したため、曲げ部が形成されたブレードに強い力が加わった場合には、該ブレードの変形の起点よりも端部側の部分がプレートの凸部によって受けられる。又、プレートの剛性が凸部によって高められるため、該プレートの変形が小さく抑えられる。
【００１４】
従って、曲げ部が形成されたブレードに強い力が加わった場合であっても、該ブレードの変形が小さく抑えられ、ブレードのクランクカムからの脱落が防がれて常に安定した刈込作業を行うことができる。
【発明を実施するための最良の形態】
【００１５】
以下に本発明の実施の形態を添付図面に基づいて説明する。
【００１６】
図１は本発明に係る刈込機の外観斜視図であり、図示の刈込機１は、外枠２から水平に延びて上下に重なる上ブレード３と下ブレード４を備えており、両ブレード３，４の各幅方向両端縁には鋸刃状の複数の切刃３ａ，４ａがそれぞれ形成されている。尚、外枠２からは給電用の電気コード５が延びている。
【００１７】
次に、本発明に係る刈込機１の内部構造と動作を図２〜図６に基づいて説明する。
【００１８】
図２は本発明に係る刈込機要部の断面図、図３（ａ）はプレートの平面図、同図（ｂ）は同プレートの側面図、同図（ｃ）は（ａ）のＡ−Ａ線断面図、図４〜図６は刈込機のブレードの動作を示すクランクカム部分の底面図である。
【００１９】
本発明に係る刈込機１の内部構造は、一部を除き図９に示した従来の刈込機のそれと同じである。
【００２０】
即ち、図２に示すように、刈込機１の外枠２には駆動源であるモータ６が内蔵されており、このモータ６の回転軸（モータ軸）７は図２の下方に延び、その中間部はベアリング８を介してホルダ９に回転可能に支持され、その端部（図２の下端部）にはピニオン１０が形成されている。
【００２１】
又、前記ホルダ９には、図２において垂直下方に延びるピン１１が前記回転軸７と平行に圧入されており、このピン１１にはギヤ１２とクランクカム１３が回転可能に支持されている。ここで、ギヤ１２は、回転軸７の端部に形成された前記ピニオン１０に噛合しており、このギヤ１２には前記クランクカム１３が嵌合連結されて両者は一体的に回転する。
【００２２】
前記クランクカム１３には、図４〜図６に示すように、ピン１１に対して偏心した上下２段の円板状の偏心カム１３ａ，１３ｂが１８０°の位相差をもって一体に形成されており、上段の偏心カム１３ａには、上ブレード３の外枠２内に臨む基端部に形成された長円状の係合孔３ｂが係合し、下段の偏心カム１３ｂには、下ブレード４の外枠２内に臨む基端部に形成された長円状の係合孔４ｂが係合している。
【００２３】
ところで、斯かる刈込機１においては、下ブレード４の端部が係合する下側の偏心カム１３ｂの一部が上ブレード３と干渉しないでクランクカム１３が滑らかに回転することができるように、図２に示すように、上ブレード３の端部の偏心カム１３ａとの係合部を曲げて曲げ部３ｃを形成している。従って、そのままでは、上ブレード３と下ブレード４の端部間に図示の隙間δが生じ、刈込作業によっては上ブレード３に強い力が加わり、該上ブレード３の端部がその曲げ部３ｃを起点として変形し、この上ブレード３の曲げ部３ｃよりも端部側の部分（図２の左側部分）が下方へと垂れ下がって偏心カム１３ａとの係合が外れる可能性がある。
【００２４】
そこで、上ブレード３が偏心カム１３ａから外れにくくするため、本実施の形態においても、従来と同様に平板状プレート１４を上ブレード３と下ブレード４の各端部間に介装し、上ブレード３に強い力が加わった場合の該上ブレード３端部の変形をプレート１４によって抑制するようにしている。
【００２５】
ここで、プレート１４は、図３（ａ）に示すように、クランクカム１３の偏心カム１３ａ，１３ｂとの干渉を避けるために半円形の切欠き１４ａが形成されて馬蹄形に成形されており、その上面の前記切欠き１４ａの周囲の２箇所には平面視円弧状の凸部１４ｂが形成されている。
【００２６】
而して、プレート１４が図２に示すように上ブレード３と下ブレード４の各端部間に介装された状態では、該プレート１４の凸部１４ｂと上ブレード３との間に、上ブレード３の厚み寸法ｔよりも小さな隙間Ｓ（＜ｔ）が形成されるように凸部１４ｂの高さ寸法ｈ（図３（ｂ）参照）が設定されている。
【００２７】
次に、本発明に係る刈込機１の動作を図４〜図６を参照しながら説明する。
【００２８】
駆動源であるモータ６に通電されて該モータ６が駆動されると、その回転軸７の回転はピニオン１０とギヤ１２を介して減速されてクランクカム１３に伝達され、該クランクカム１３が回転駆動される。そして、このクランクカム１３の回転は、前述のように該クランクカム１３の上下の偏心カム１３ａ，１３ｂにそれぞれ係合する上ブレード３と下ブレード４の往復動に変換される。
【００２９】
即ち、前述のように、クランクカム１３の偏心カム１３ａ，１３ｂは、ピン１１に対して偏心した位置に１８０°の位相差をもって形成されているため、図４〜図６の矢印方向に回転するクランクカム１３の上下の偏心カム１３ａ，１３ｂが図４に示すようにピン１１に対して前後にεだけ偏心した位置にある場合には、上ブレード３は図５に示す中立位置に対してεだけ前進して前進限に位置し、下ブレード４は図５に示す中立位置に対してεだけ後退して後退限に位置する。
【００３０】
そして、クランクカム１３が図４に示す位置から矢印方向に回転すると、上ブレード３は後退し、下ブレード４は前進するが、クランクカム１３が図４に示す位置から９０°回転すると、両偏心カム１３ａ，１３ｂが図５に示すように横方向（図５の上下方向）に並ぶ中立状態となり、上ブレード３と下ブレード４とは上下に完全に重なる。
【００３１】
その後、クランクカム１３が図５に示す中立位置から矢印方向に回転すると、上ブレード３は更に後退し、下ブレード４は更に前進する。そして、クランクカム１３が図５に示す中立位置から矢印方向に９０°回転すると、図６に示すように、上ブレード３は図５に示す中立位置に対してεだけ後退して後退限に位置し、下ブレード４は図５に示す中立位置に対してεだけ前進して前進限に位置する。
【００３２】
従って、クランクカム１３が連続的に回転すると、図４〜図６に示す動作が順次繰り返され、上ブレード３と下ブレード４とはストローク２εで交互に進退動するため、これらの各幅方向両端縁に形成された複数の切刃３ａ，４ａ（図１参照）によって草や木の枝が刈り込まれる。
【００３３】
ところで、上ブレード３が後退方向に移動中に枝等を噛み込んだために該上ブレード３がロック状態になった場合等、刈込作業によっては上ブレード３に強い力が加わる場合があり、この強い力によって上ブレード３がその曲げ部３ｃとギヤ１２と接触点（図２の点Ｐ１）を起点として変形しようとする。
【００３４】
ところが、本実施の形態では、上ブレード３と下ブレード４の端部間に介装されたプレート１４に凸部１４ｂを形成し、この凸部１４ｂと上ブレード３との間に、上ブレード３の厚み寸法ｔよりも小さな隙間Ｓ（＜ｔ）を形成する構成を採用したため、上ブレード３の変形の起点（点Ｐ１）よりも端部側（図２の左側）の部分がプレート１４の凸部１４ｂによって受けられる（図２の点Ｐ２）。又、プレート１４の剛性は凸部１４ｂによって高められるため、該プレート１４の変形が小さく抑えられる。
【００３５】
従って、上ブレード３に強い力が加わった場合であっても、該上ブレード３の端部（点Ｐ２よりも端部側（図２の左側）の部分）の変形が小さく抑えられ、この部分に形成された係合孔３ｂ（図４〜図６参照）と偏心カム１３ａとの係合が外れることがなく、刈込機１の円滑な動作が可能となって常に安定した刈込作業を行うことができる。
【００３６】
尚、本実施の形態では、上ブレード３に曲げ部３ｃを形成した構成について説明したが、下ブレード４に曲げ部を形成した構成では、プレート１４に形成された凸部と下ブレード４との間に、下ブレード４の厚み寸法よりも小さな隙間を形成すれば、下ブレード４に強い力が加わった場合であっても、該下ブレード４端部の変形を小さく抑えて前記と同様の効果を得ることができる。
【図面の簡単な説明】
【００３７】
【図１】実発明に係る刈込機の外観斜視図である。
【図２】本発明に係る刈込機要部の断面図である。
【図３】（ａ）は本発明に係る刈込機のプレートの平面図、（ｂ）は同プレートの側面図、（ｃ）は（ａ）のＡ−Ａ線断面図である。
【図４】本発明に係る刈込機のブレードの動作を示すクランクカム部分の底面図である。
【図５】本発明に係る刈込機のブレードの動作を示すクランクカム部分の底面図（クランクカムを図４に示す状態から９０°回転させた中立状態を示す図）である。
【図６】本発明に係る刈込機のブレードの動作を示すクランクカム部分の底面図（クランクカムを図５に示す中立位置から９０°回転させた状態を示す図）である。
【図７】従来の刈込機要部の断面図である。
【図８】従来の刈込機における上ブレードの変形の様子を示す要部断面図である。
【図９】プレートを用いた従来の刈込機要部の断面図である。
【図１０】プレートを用いた従来の刈込機における上ブレードの変形の様子を示す要部断面図である。
【図１１】（ａ）は従来のプレートの平面図、（ｂ）は同プレートの側面図、（ｃ）は（ａ）のＢ−Ｂ線断面図である。
【符号の説明】
【００３８】
１        刈込機
２        外枠
３        上ブレード
３ａ      上ブレードの切刃
３ｂ      上ブレードの係合孔
３ｃ      上ブレードの曲げ部
４        下ブレード
４ａ      下ブレードの切刃
４ｂ      下ブレードの係合孔
５        電気コード
６        モータ
７        回転軸（モータ軸）
８        ベアリング
９        ホルダ
１０      ピニオン
１１      ピン
１２      ギヤ
１３      クランクカム
１３ａ，１３ｂ  偏心カム
１４      プレート
１４ａ    プレートの切欠き
１４ｂ    プレートの凸部
ｈ        プレート凸部の高さ寸法
Ｓ        プレート凸部の上ブレート間の隙間
ｔ        上ブレードの厚み寸法
【図１】
2007135435.tif 000003
【図２】
2007135435.tif 000004
【図３】
2007135435.tif 000005
【図４】
2007135435.tif 000006
【図５】
2007135435.tif 000007
【図６】
2007135435.tif 000008
【図７】
2007135435.tif 000009
【図８】
2007135435.tif 000010
【図９】
2007135435.tif 000011
【図１０】
2007135435.tif 000012
【図１１】
2007135435.tif 000013